(57)【要約】【課題】テーブル什器における座席選択の自由度を損なうことなく個人の所有物を保管可能とする。【解決手段】左右寸法が前後寸法よりも長尺な天板２ｃを有するテーブル什器２と、上記天板２ｃの左右方向における端部に当接されて配置されると共に、上記天板２ｃの前方に向けて開口する第１収納部１０、上記天板２ｃの後方に向けて開口する第２収納部２０、及び、上記天板２ｃと反対方向に向けて開口する第３収納部３０を有する収納什器３及び収納什器４とを備える。【選択図】図１
2014090919.tif 000002
【特許請求の範囲】
【請求項１】
左右寸法が前後寸法よりも長尺な天板を有するテーブル什器と、
前記天板の左右方向における端部に当接されて配置されると共に、前記天板の前方に向けて開口する第１収納部、前記天板の後方に向けて開口する第２収納部、及び、前記天板と反対方向に向けて開口する第３収納部を有する収納什器と
を備えることを特徴とするワークステーション装置。
【請求項２】
前記第１収納部は、前方側に配置されると共に前方側が開口された第１箱体と、当該第１箱体の内部に設置される棚板とを備え、
前記第２収納部は、後方側に配置されると共に後方側が開口された第２箱体と、当該第２箱体の内部に設置される棚板とを備え、
前記第３収納部は、前記第１箱体と前記第２箱体とに挟まれた空間に棚板を設置することにより形成されている
ことを特徴とする請求項１記載のワークステーション装置。
【請求項３】
前記第１箱体の天面と前記第２箱体の天面とに固定されるブリッジ天板を備えることを特徴とする請求項２記載のワークステーション装置。
【請求項４】
前後方向において、前記天板の前側端部と前記収納什器の前側端部との位置が一致され、かつ、前記天板の後側端部と前記収納什器の後側端部との位置が一致されていることを特徴とする請求項１〜３いずれかに記載のワークステーション装置。
【請求項５】
前記収納什器は、前記天板の設置高さを超える高さ寸法を有し、前記天板側の面であって前記天板の上に露出された領域が情報掲示部とされていることを特徴とする請求項１〜４いずれかに記載のワークステーション装置。
【発明の詳細な説明】
【技術分野】
【０００１】
本発明は、ワークステーション装置に関するものである。
【背景技術】
【０００２】
オフィス等の執務空間においては、左右寸法が前後寸法よりも長尺な天板が脚体によって支持された大型のテーブル什器を複数のワーカーで共同して使用することが一般的である。このような大型のテーブル什器によれば、天板の左右方向における一人当たりの使用面積を調節することによって、１つのテーブル什器を使用する人数を変更することができる。したがって、組織変更等によってワーカーの数が増減した場合であっても、柔軟に対応することが可能となる。
【０００３】
また、近年では、このような大型のテーブル什器の使用方法としては、ワーカーが指定された定席にて執務を行うのではなく、テーブル什器における任意の自由な席で執務を行うものが多く見られている。こうしたテーブル什器の使用方法によれば、その時々の組織編成（部、課、プロジェクトチーム等）や、仕事内容（グループワーク、個人ワーク等）における必要性に応じて、ワーカーが適した場所で執務を行うことができる。また、営業職のような外出が多い部門においては、設置席数をワーカー数よりも少ない席とすることも可能となり、ファシリティコストの削減効果も得られる。
【０００４】
ただし、このようなテーブル什器においては、従来型の袖机と異なり、個人の所有物を保管する収納領域が設けられていないという問題を有している。このため、例えば、特許文献１に示されているような可動式のワゴンを別途用意し、このワゴンに個人の所有物を保管するのが一般的である。
【先行技術文献】
【特許文献】
【０００５】
【特許文献１】特開２００９−１７２３０３号公報
【発明の概要】
【発明が解決しようとする課題】
【０００６】
しかしながら、実際にはワゴンの移動が手間となることから、ワーカーはあまり席を移動することをせず、席が固定化されやすい。つまり、ワゴンがあると、ワゴンがない場合と比較して、席の選択の自由度が損なわれることになる。
【０００７】
本発明は、上述する問題点に鑑みてなされたもので、テーブル什器における座席選択の自由度を損なうことなく個人の所有物を保管可能とすることを目的とする。
【課題を解決するための手段】
【０００８】
本発明は、上記課題を解決するための手段として、以下の構成を採用する。
【０００９】
第１の発明は、ワークステーション装置であって、左右寸法が前後寸法よりも長尺な天板を有するテーブル什器と、上記天板の左右方向における端部に当接されて配置されると共に、上記天板の前方に向けて開口する第１収納部、上記天板の後方に向けて開口する第２収納部、及び、上記天板と反対方向に向けて開口する第３収納部を有する収納什器とを備えるという構成を採用する。
【００１０】
このような構成を採用する本発明によれば、テーブル什器に対して収納什器が併設されているため、ワゴンを用いることなく個人の所有物を保管することが可能となる。このため、本発明によれば、テーブル什器における座席選択の自由度が損なわれることがない。
【００１１】
また、本発明によれば、第１収納部がテーブル什器の天板の前方に向けて開口されており、第２収納部がテーブル什器の天板の後方に向けて開口されており、第３収納部がテーブル什器の天板と反対方向に向けて開口されている。このため、天板の前方に着座するワーカーは、第１収納部に容易に荷物を出し入れすることができ、天板の後方に着座するワーカーは、第２収納部に容易に荷物を出し入れすることができ、第３収納部は、天板の前方及び後方のどちら側に着座するワーカーでも荷物の出し入れを行うことができる。したがって、本発明のワークステーション装置は、使い勝手の良いものとなる。
【００１２】
また、第２の発明は、上記第１の発明において、上記第１収納部が、前方側に配置されると共に前方側が開口された第１箱体と、当該第１箱体の内部に設置される棚板とを備え、上記第２収納部が、後方側に配置されると共に後方側が開口された第２箱体と、当該第２箱体の内部に設置される棚板とを備え、上記第３収納部が、上記第１箱体と上記第２箱体とに挟まれた空間に棚板を設置することにより形成されているという構成を採用する。
【００１３】
このような構成を採用する本発明によれば、第３収納部の一部が第１収納部の第１箱体と第２収納部の第２箱体によって形成されている。このため、第３収納部の構成要素を削減し、収納什器（さらにはワークステーション装置自体）を簡易的にかつ安価に構成することができる。
【００１４】
また、第３の発明は、上記第２の発明において、上記第１箱体の天面と上記第２箱体の天面とに固定されるブリッジ天板を備えるという構成を採用する。
【００１５】
このような構成を採用する本発明によれば、第１箱体と第２箱体とに架設されたブリッジ天板の上面が物品の載置面となる。このため、簡易的な構造で広い物品載置面を有する収納什器とすることができる。また、ブリッジ天板によって第１箱体と第２箱体とが連結されるため、収納什器の全体が一体化され、収納什器の強度を高めることが可能となる。
【００１６】
また、第４の発明は、上記第１〜第３いずれかの発明において、前後方向において、上記天板の前側端部と上記収納什器の前側端部との位置が一致され、かつ、上記天板の後側端部と上記収納什器の後側端部との位置が一致されているという構成を採用する。
【００１７】
このような構成を採用する本発明によれば、テーブル什器と収納什器との境界部分に前後方向に凹凸ができることを防止することができ、ワークステーション装置の前後端に凹凸が形成されず、使い勝手を良好なものとすることができる。
【００１８】
第５の発明は、上記第１〜第４いずれかの発明において、上記収納什器が、上記天板の設置高さを超える高さ寸法を有し、上記天板側の面であって上記天板の上に露出された領域が情報掲示部とされているという構成を採用する。
【００１９】
このような構成を採用する本発明によれば、収納什器の開口が設けられない面の上部が情報掲示部として用いられる。このため、容易にワーカーが情報を共有することができ、ワークステーション装置としての使い勝手が向上する。また、天板上の側方が収納什器によって閉塞されることになるため、作業空間とその他の空間とを区画することが出来ると共に、作業者の視線を遮ることによって好適な作業空間を形成することが出来る。
【発明の効果】
【００２０】
本発明によれば、テーブル什器に対して収納什器が併設されているため、ワゴンを用いることなく個人の所有物を保管することができ、テーブル什器における座席選択の自由度を損なうことなく個人の所有物を保管することが可能となる。
【図面の簡単な説明】
【００２１】
【図１】本発明の一実施形態のワークステーション装置の概略構成を示す斜視図である。
【図２】本発明の一実施形態のワークステーション装置が備える収納什器の概略構成を示す４面図であり、（ａ）が図１における左側から見た正面図、（ｂ）が平面図、（ｃ）が図１における後側から見た側面図、（ｄ）が図１における前側から見た側面図である。
【図３】本発明の一実施形態のワークステーション装置が備える収納什器の概略構成を示す背面図であり、図１における右側から見た図である。
【図４】本発明の一実施形態のワークステーション装置が備える第１箱体の概略構成を示す４面図であり、（ａ）が図１における前側から見た正面図、（ｂ）が平面図、（ｃ）が（ａ）のＡ−Ａ線断面図、（ｄ）が図１の右側方向から見た側面図である。
【図５】本発明の一実施形態のワークステーション装置が備える第１箱体の背面図であり、図１の後方向から見た図である。
【図６】本発明の一実施形態のワークステーション装置が備える連結材を示す図であり、（ａ）が正面図、（ｂ）が平面図、（ｃ）が側面図である。
【発明を実施するための形態】
【００２２】
以下、図面を参照して、本発明に係るワークステーション装置の一実施形態について説明する。なお、以下の図面において、各部材を認識可能な大きさとするために、各部材の縮尺を適宜変更している。
【００２３】
図１は、本実施形態のワークステーション装置１の概略構成を示す斜視図である。この図に示すように、本実施形態のワークステーション装置１は、テーブル什器２と、収納什器３及び収納什器４と、連結材５とを備えている。なお、図１に示すように、以下の説明において、テーブル什器２の長手方向を左右方向と称し、これと直交する水平方向を前後方向、また鉛直方向を上下方向と称する。
【００２４】
テーブル什器２は、２つの脚体２ａ及び脚体２ｂと、１枚の天板２ｃとから構成されている。脚体２ａ及び脚体２ｂは、テーブル什器２の左右方向における端部に立設されるパネル状の部材であり、互いに対向配置されている。
【００２５】
天板２ｃは、左右寸法（左右方向の寸法）が前後寸法（前後方向の寸法）よりも長尺な矩形のパネル状の部材であり、表裏面が上下方向を向くようにして脚体２ａ及び脚体２ｂによって下方から支持されている。この天板２ｃの中央には、左右方向に延在する配線収容部２ｃ１が設けられている。この配線収容部２ｃ１は、天板２ｃの上面から下方に掘り下げられた溝２ｃ２（図３参照）と、この溝を覆うカバー２ｃ３とによって構成されている。
【００２６】
なお、脚体２ａと天板２ｃとの接続箇所には、連結材５の後述する天板連結部５ｂが挿通される孔部６（図２（ｄ）及び図３参照）が設けられている。また、脚体２ｂと天板２ｃとの接続箇所にも、同様に連結材５の天板連結部５ｂが挿通される孔部（不図示）が設けられている。
【００２７】
このようなテーブル什器２においては、天板２ｃを挟んで前後に椅子が配置され、椅子に着座したワーカーが天板２ｃ上において作業を行う。また、天板２ｃが左右方向に長尺な形状であるため、天板２ｃの前側辺と後側辺とには左右方向に複数のワーカーが着座できるように構成されている。
【００２８】
収納什器３は、テーブル什器２の左側端部２ｄ（左右方向の端部）に当接された状態で配置されている。図２は、収納什器３の概略構成を示す４面図であり、（ａ）が図１における左側から見た正面図、（ｂ）が平面図、（ｃ）が図１における後側から見た側面図、（ｄ）が図１における前側から見た側面図である。また、図３は、収納什器３の概略構成を示す背面図であり、図１における右側から見た図である。
【００２９】
これらの図に示すように、収納什器３は、ブリッジベース３ａと、第１箱体３ｂと、第１棚板３ｃと、第２箱体３ｄと、第２棚板３ｅと、ブリッジ天板３ｆと、背面パネル３ｇと、ブリッジ棚板３ｈとを備えている。また、収納什器３は、部材同士の連結や、部材の支持に用いられる複数のビス（不図示）及びブラケット（不図示）等を備えている。
【００３０】
ブリッジベース３ａは、収納什器３の底部に配置された矩形のプレート状の部材であり、第１箱体３ｂ、第２箱体３ｄ及び背面パネル３ｇを下方から直接支持すると共に、第１棚板３ｃ、第２棚板３ｅ、ブリッジ天板３ｆ及びブリッジ棚板３ｈとを間接的に支持している。このブリッジベース３ａは、床面に直接当接する不図示のアジャスタを多数備えており、これらのアジャスタによって床面に対する姿勢を調節可能とされている。
【００３１】
第１箱体３ｂは、前側が開口された箱状の部材であり、ブリッジベース３ａの前寄りに配置され、ブリッジベース３ａと不図示のビスによって固定されている。図４は、第１箱体３ｂの概略構成を示す４面図であり、（ａ）が図１における前側から見た正面図、（ｂ）が平面図、（ｃ）が（ａ）のＡ−Ａ線断面図、（ｄ）が図１の右側方向から見た側面図である。また、図５は、第１箱体３ｂの背面図であり、図１の後方向から見た図である。これらの図に示すように、第１箱体３ｂは、底部３ｂ１、第１側面部３ｂ２、第２側面部３ｂ３、背面部３ｂ４及び天井部３ｂ５から構成されている。
【００３２】
底部３ｂ１は、図１における左右方向の幅が、ブリッジベース３ａの幅と一致された矩形状のパネル部材であり、第１箱体３ｂの最下部に配置される。第１側面部３ｂ２は底部３ｂ１の左辺と接続されるパネル部材であり、第２側面部３ｂ３は底部３ｂ１の右辺と接続されるパネル部材であり、背面部３ｂ４は底部３ｂ１の後辺と接続されるパネル部材である。なお、第１側面部３ｂ２と背面部３ｂ４とは屈曲状態で接続され、第２側面部３ｂ３と背面部３ｂ４とも屈曲状態で接続されている。天井部３ｂ５は、外形形状が底部３ｂ１と同じパネル部材であり、第１側面部３ｂ２と、第２側面部３ｂ３と、背面部３ｂ４との上端に接続され、第１箱体３ｂの最上部に配置されている。また、天井部３ｂ５の天面には、天井部３ｂ５とブリッジ天板３ｆとを接続するビスが挿通されるビス孔３ｂ６が複数設けられている。
【００３３】
第１側面部３ｂ２と、第２側面部３ｂ３と、背面部３ｂ４とは、いずれも同じ高さ寸法を有している。これらの高さ寸法は、テーブル什器２の天板２ｃの設置高さを超えるように設定されている。また、図４（ｃ）に示すように、第２側面部３ｂ３の内壁には、第１棚板３ｃを不図示の棚ブラケットによって引っ掛けるための孔３ｂ７が上下方向に配列されて複数設けられている。また、図示していないが、第１側面部３ｂ２の内壁にも、第１棚板３ｃを不図示の棚ブラケットによって引っ掛けるための孔３ｂ７が上下方向に配列されて複数設けられている。また、図５に示すように、背面部３ｂ４の背面には、ブリッジ棚板３ｈを不図示の棚ブラケットによって引っ掛けるための孔３ｂ８が上下方向に配列されて複数設けられている。
【００３４】
このような第１箱体３ｂは、底部３ｂ１の前縁３ｂ１１と、第１側面部３ｂ２の前縁３ｂ２１と、第２側面部３ｂ３の前縁３ｂ３１と、天井部３ｂ５の前縁３ｂ５１とが同一仮想平面上に配置されている。すなわち、底部３ｂ１の前縁３ｂ１１と、第１側面部３ｂ２の前縁３ｂ２１と、第２側面部３ｂ３の前縁３ｂ３１と、天井部３ｂ５の前縁３ｂ５１とが面一となるように配置されている。
【００３５】
また、第１箱体３ｂは、これらの底部３ｂ１の前縁３ｂ１１と、第１側面部３ｂ２の前縁３ｂ２１と、第２側面部３ｂ３の前縁３ｂ３１と、天井部３ｂ５の前縁３ｂ５１とが配置される仮想平面を、テーブル什器２の天板２ｃの前側端部２ｃ４と面一となるように配置されている。すなわち、図１に示す前後方向において、天板２ｃの前側端部２ｃ４と収納什器３の前側端部（前縁３ｂ１１、前縁３ｂ２１、前縁３ｂ３１及び前縁３ｂ５１）との位置が一致されている。
【００３６】
また、第１箱体３ｂの内部は、ワーカーの所有物を収納する収納空間とされている。すなわち、収納什器３は、図１に示すように、第１箱体３ｂによって形成され、収納什器３において前方側に配置されると共に天板２ｃの前方側に向けて開口される第１収納部１０を備えている。
【００３７】
第１棚板３ｃは、第２側面部３ｂ３の内壁に設けられた孔３ｂ７に引っ掛けられる不図示の棚ブラケットによって支持されることで第１箱体３ｂの内部に配置されるパネル部材であり、第１収納部１０の収納空間を上下方向に分割する。第１棚板３ｃは、第１収納部１０の構成部材であり、本実施形態においては、上下方向に離間して２枚設置されている。これらの第１棚板３ｃによって、第１収納部１０の収納空間が上下方向に３分割されている。
【００３８】
第２箱体３ｄは、図１の前後方向において第１箱体３ｂと対象形状とされているため、詳細な説明は省略する。このような第２箱体３ｄは、ブリッジベース３ａの後寄りに配置され、ブリッジベース３ａと不図示のビスによって固定されている。また、第２箱体３ｄは、図１に示す前後方向において、天板２ｃの後側端部２ｃ５と収納什器３の後側端部との位置が一致されている。
【００３９】
このような第２箱体３ｄの内部は、ワーカーの所有物を収納する収納空間とされている。すなわち、収納什器３は、図１に示すように、第２箱体３ｄによって形成され、収納什器３において後方側に配置されると共に天板２ｃの後方側に向けて開口される第２収納部２０を備えている。
【００４０】
第２棚板３ｅは、第２箱体３ｄの内部に配置されるパネル部材であり、第２収納部２０の収納空間を上下方向に分割する。第２棚板３ｅは、第２収納部２０の構成部材であり、本実施形態においては、上下方向に離間して２枚設置されている。これらの第２棚板３ｅによって、第２収納部２０の収納空間が上下方向に３分割されている。
【００４１】
ブリッジ天板３ｆは、図１及び図２に示すように、第１箱体３ｂの天面３ｂａと、第２箱体３ｄの天面３ｄａとに固定されたパネル部材である。このブリッジ天板３ｆは、上方から見てブリッジベース３ａと同じ矩形に形状設定されており、第１箱体３ｂと第２箱体３ｄとに架設されている。このようなブリッジ天板３ｆは、上面３ｆ１が平面とされており、この上面３ｆ１によって物品載置面とされている。また、このようなブリッジ天板３ｆは、第１箱体３ｂ及び第２箱体３ｄを連結しており、収納什器３を一体化させている。
【００４２】
背面パネル３ｇは、ブリッジベース３ａのテーブル什器２側の縁部に立設されたパネル部材である。この背面パネル３ｇは、図１の前後方向の幅寸法が第１箱体３ｂと第２箱体３ｄとの離間寸法に合わせられ、上下方向の高さ寸法が第１箱体３ｂ及び第２箱体３ｄの高さ寸法と一致されており、ブリッジベース３ａと、第１箱体３ｂと、第２箱体３ｄと、ブリッジ天板３ｆとによって囲まれた領域を、テーブル什器２側の縁部において塞ぐものである。
【００４３】
このようなブリッジベース３ａと、第１箱体３ｂと、第２箱体３ｄと、ブリッジ天板３ｆと、背面パネル３ｇとによって囲まれた空間は、ワーカーの所有物を収納する収納空間とされている。すなわち、収納什器３は、図１に示すように、第１箱体３ｂと第２箱体３ｄとに挟まれて形成されると共に、テーブル什器２の天板２ｃと反対方向に向けて開口する第３収納部３０を備えている。
【００４４】
ブリッジ棚板３ｈは、第１箱体３ｂと第２箱体３ｄとに挟まれた空間に配置されるパネル部材であり、第３収納部３０の収納空間を上下方向に分割する。ブリッジ棚板３ｈは、第３収納部３０の構成部材であり、本実施形態において、上下方向に離間して２枚設置されている。これらのブリッジ棚板３ｈによって、第３収納部３０の収納空間が上下方向に３分割されている。
【００４５】
収納什器４は、図１に示すように、テーブル什器２の右側端部２ｅ（左右方向の端部）に当接された状態で配置されている。この収納什器４は、収納什器３と図１における左右方向において対称形状とされているため、詳細な説明については省略する。
【００４６】
なお、図１に示すように、収納什器３及び収納什器４は、天板２ｃの設置高さを超える高さ寸法を有し、天板２ｃ側の面であって天板２ｃの上に露出された領域が情報掲示部３ｉ及び情報掲示部４ｉとされている。この情報掲示部３ｉ及び情報掲示部４ｉにおいては、例えばマグネットや粘着テープによってメモを貼付したり、また情報表示用のディスプレイを配置したりすることで容易に情報の掲示を行うことができる。
【００４７】
図６は、連結材５を示す図であり、（ａ）が正面図、（ｂ）が平面図、（ｃ）が側面図である。これらの図に示すように、連結材５は、ベースプレート５ａと、天板連結部５ｂとによって構成されている。ベースプレート５ａは、収納什器３及び収納什器４の背面にビス止めにて固定される部位である。天板連結部５ｂは、ベースプレート５ａの上端に対して２つ設けられており、ベースプレート５ａに対して屈曲状態で接続されている。この天板連結部５ｂは、長さ寸法がテーブル什器２の脚体２ａ及び脚体２ｂの厚み寸法よりも大きく設定されている。このような天板連結部５ｂは、脚体２ａと天板２ｃとの接続箇所（あるいは脚体２ｂと天板２ｃとの接続箇所）に設けられた孔部６に挿通され、先端が天板２ｃの裏面にビス止めされている。このような連結材５は、図３に示すように、収納什器３に対して２つ設置されている。これらの連結材５によって収納什器３とテーブル什器２とが連結されている。また、収納什器４も、同様に２つの連結材５によってテーブル什器２と連結されている。
【００４８】
このような構成を有する本実施形態のワークステーション装置１においては、左右寸法が前後寸法よりも長尺な天板２ｃを有するテーブル什器２と、天板２ｃの左右方向における端部に当接されて配置されると共に、天板２ｃの前方に向けて開口する第１収納部１０、天板２ｃの後方に向けて開口する第２収納部２０、及び、天板２ｃと反対方向に向けて開口する第３収納部３０を有する収納什器３（及び収納什器４）とを備えている。このような本実施形態のワークステーション装置１によれば、テーブル什器２に対して収納什器３及び収納什器４が併設されているため、ワゴンを用いることなく個人の所有物を保管することが可能となる。このため、本実施形態のワークステーション装置１によれば、テーブル什器２における座席選択の自由度が損なわれることがない。
【００４９】
また、本実施形態のワークステーション装置１によれば、第１収納部１０がテーブル什器２の天板２ｃの前方に向けて開口されており、第２収納部２０がテーブル什器２の天板２ｃの後方に向けて開口されており、第３収納部３０がテーブル什器２の天板２ｃと反対方向に向けて開口されている。このため、天板２ｃの前方に着座するワーカーは、第１収納部１０に容易に荷物を出し入れすることができ、天板２ｃの後方に着座するワーカーは、第２収納部２０に容易に荷物を出し入れすることができ、第３収納部３０は、天板２ｃの前方及び後方のどちら側に着座するワーカーでも荷物の出し入れを行うことができる。したがって、本実施形態のワークステーション装置１は、使い勝手の良いものとなっている。
【００５０】
また、本実施形態のワークステーション装置１においては、第１収納部１０が、前方側に配置されると共に前方側が開口された第１箱体３ｂと、この第１箱体３ｂの内部に設置される第１棚板３ｃとを備え、第２収納部２０が、後方側に配置されると共に後方側が開口された第２箱体３ｄと、この第２箱体３ｄの内部に設置される第２棚板３ｅとを備え、第３収納部３０が、第１箱体３ｂと第２箱体３ｄとに挟まれた空間にブリッジ棚板３ｈを設置することにより形成されている。このような本実施形態のワークステーション装置１によれば、第３収納部３０の一部が第１収納部１０の第１箱体３ｂと第２収納部２０の第２箱体３ｄによって形成されている。このため、第３収納部３０の構成要素を削減し、収納什器３及び収納什器４（さらにはワークステーション装置１自体）を簡易的にかつ安価に構成することができる。
【００５１】
また、本実施形態のワークステーション装置１においては、第１箱体３ｂの天面３ｂａと第２箱体３ｄの天面３ｄａとに固定されるブリッジ天板３ｆを備えている。第１箱体３ｂと第２箱体３ｄとに架設されたブリッジ天板３ｆの上面３ｆ１が物品の載置面となる。このため、簡易的な構造で広い物品載置面を有する収納什器３及び収納什器４とすることができる。また、ブリッジ天板３ｆによって第１箱体３ｂと第２箱体３ｄとが連結されるため、収納什器３及び収納什器４の全体が一体化され、収納什器３及び収納什器４の強度を高めることが可能となる。
【００５２】
本実施形態のワークステーション装置１においては、図１における前後方向において、天板２ｃの前側端部と収納什器３及び収納什器４の前側端部との位置が一致され、かつ、天板２ｃの後側端部と収納什器３及び収納什器４の後側端部との位置が一致されている。このため、本実施形態のワークステーション装置１によれば、テーブル什器２と収納什器３との境界部分に前後方向に凹凸ができることを防止することができ、ワークステーション装置１の前後端に凹凸が形成されず、使い勝手を良好なものとすることができる。
【００５３】
また、本実施形態のワークステーション装置１においては、収納什器３及び収納什器４が、天板２ｃの設置高さを超える高さ寸法を有し、天板２ｃ側の面であって天板２ｃの上に露出された領域が情報掲示部３ｉ及び情報掲示部４ｉとされている。このような本実施形態のワークステーション装置１によれば、収納什器３及び収納什器４の開口が設けられない面の上部が情報掲示部３ｉ及び情報掲示部４ｉとして用いられる。このため、容易にワーカーが情報を共有することができ、ワークステーション装置１としての使い勝手が向上する。また、天板２ｃ上の側方が収納什器３及び収納什器４によって閉塞されることになるため、作業空間とその他の空間とを区画することが出来ると共に、作業者の視線を遮ることによって好適な作業空間を形成することが出来る。
【００５４】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５５】
例えば、上記実施形態においては、テーブル什器２の両側に対して収納什器（収納什器３及び収納什器４）が設置された構成について説明した。しかしながら、本発明はこれに限定されるものではなく、テーブル什器２のいずれか片側に対してのみ収納什器を設置するようにしても良い。
【００５６】
また、上記実施形態においては、各収納部（第１収納部１０、第２収納部２０及び第３収納部３０）が２枚ずつの棚板（第１棚板３ｃ、第２棚板３ｅ及びブリッジ棚板３ｈ）を備える構成について説明した。しかしながら、本発明はこれに限定されるものではなく、棚板の枚数は任意であり、また棚板を設置しない構成を採用することも可能である。
【００５７】
また、上記実施形態においては、テーブル什器２の天板２ｃが脚体２ａ及び脚体２ｂによって支持された構成について説明した。しかしながら、本発明はこれに限定されるものではなく、中央に配置される１つの脚体で天板２ｃを支持する構成や、収納什器３及び収納什器４で天板２ｃを支持して脚体を削除する構成を採用することもできる。
【００５８】
また、上記実施形態においては、テーブル什器２と収納什器３及び収納什器４とが連結材５にて連結されている構成について説明した。しかしながら、本発明はこれに限定されるものではなく、テーブル什器２と収納什器３及び収納什器４とが係合して連結される構成や、テーブル什器２と収納什器３及び収納什器４とが当接のみする構成を採用することも可能である。
【符号の説明】
【００５９】
１……ワークステーション装置、２……テーブル什器、２ａ……脚体、２ｂ……脚体、２ｃ……天板、２ｃ１……配線収容部、２ｃ２……溝、２ｃ３……カバー、２ｃ４……前側端部、２ｃ５……後側端部、２ｄ……左側端部、２ｅ……右側端部、３……収納什器、３ａ……ブリッジベース、３ｂ……第１箱体、３ｂ１……底部、３ｂ１１……前縁、３ｂ２……第１側面部、３ｂ２１……前縁、３ｂ３……第２側面部、３ｂ３１……前縁、３ｂ４……背面部、３ｂ５……天井部、３ｂ５１……前縁、３ｂ６……ビス孔、３ｂ７……孔、３ｂ８……孔、３ｂａ……天面、３ｃ……第１棚板、３ｄ……第２箱体、３ｄａ……天面、３ｅ……第２棚板、３ｆ……ブリッジ天板、３ｆ１……上面、３ｇ……背面パネル、３ｈ……ブリッジ棚板、３ｉ……情報掲示部、４……収納什器、４ｉ……情報掲示部、５……連結材、５ａ……ベースプレート、５ｂ……天板連結部、６……孔部、１０……第１収納部、２０……第２収納部、３０……第３収納部
【図１】
2014090919.tif 000003
【図２】
2014090919.tif 000004
【図３】
2014090919.tif 000005
【図４】
2014090919.tif 000006
【図５】
2014090919.tif 000007
【図６】
2014090919.tif 000008